(57)【要約】  【課題】自動販売機を構成する装置の稼働履歴情報の取得を行う際に、自動販売機の開扉を必要とせず、作業効率を向上させ信頼のおける管理システムを構築することのできる電子決済装置を提供することを目的とする。  【解決手段】電子決済を行う電子決済装置２０が、専用のＩＣカード７０から、電子決済装置２０、紙幣処理装置３０、硬貨処理装置４０等の稼働履歴情報の取得を許可することを示す許可情報等を読み込み、読み込んだ許可情報等に基づいて対象とする装置の稼働履歴情報を取得し、そして、電子決済装置２０は、専用のＩＣカードに取得した稼働履歴情報を記録する。【選択図】図１
2010033485.tif 000002
【特許請求の範囲】
【請求項１】
自動販売機に配設され、非接触で通信可能な媒体に格納された電子マネーに関する情報に基づいて決済処理を行う電子決済装置において、
通信可能な媒体を検出する媒体検出手段と、
前記媒体検出手段が検出した媒体の種別を判定する種別判定手段と、
前記種別判定手段により前記媒体検出手段が検出した媒体が、前記自動販売機に配設された装置の稼働履歴情報を取得することを許可された許可情報が格納された媒体であると判定された場合に、前記媒体から前記許可情報を取得する情報取得手段と、
前記情報取得手段が取得した許可情報に基づいて前記稼働履歴情報を取得する対象となる装置を特定する対象装置特定手段と、
前記情報取得手段が取得した許可情報に基づいて通信手段を介して前記対象装置特定手段が特定した装置から前記稼働履歴情報を受け付ける稼働履歴情報受付手段と、
前記稼働履歴情報受付手段が受け付けた稼働履歴情報を前記媒体に書き込む稼働履歴情報書き込み手段と
を具備することを特徴とする電子決済装置。
【請求項２】
前記情報取得手段が取得した前記許可情報には自動販売機の扉を開閉することを許可することも含み、前記情報取得手段が取得した許可情報に基づいて前記自動販売機の扉を開けることを許可するように前記自動販売機の制御部を制御する扉開閉許可制御手段を更に具備することを特徴とする請求項１記載の電子決済装置。
【請求項３】
前記扉開閉許可制御手段は、前記自動販売機の扉開閉履歴情報を記録する扉開閉履歴情報記録手段を含むことを特徴とする請求項１乃至２記載の電子決済装置。
【発明の詳細な説明】
【技術分野】
【０００１】
本発明は、電子決済装置に関し、特に、自動販売機に配設され、決済処理以外の用途にも用いられる電子決済装置に関する。
【背景技術】
【０００２】
自動販売機は、本体としての装置の他に、硬貨処理装置や紙幣処理装置等の複数の装置により構成されている。この硬貨処理装置や紙幣処理装置の整備時期の把握や自動販売機自体の売上管理情報の生成に、硬貨処理装置や紙幣処理装置の稼働履歴情報を利用する。
【０００３】
この稼働履歴情報の取得方法は、サービスマン若しくはルートマンと呼ばれる作業員が対象とする自動販売機の設置場所に出向いて、該稼働履歴情報の取得のみを行うか、前記硬貨処理装置や前記紙幣処理装置から金銭を回収し販売する商品の補充や商品の入れ替え作業や機器の整備作業を行う時に併せて情報取得を行うかのいずれかになり、金銭の回収を伴う作業では作業員を特定している。
【０００４】
例えば、特許文献１には、管理する機器とその作業者毎の作業分野を予め分別して作業の諾否と諾否した作業の履歴の記憶とを自動的に行う管理システムとして、自動販売機の表面に指紋認証装置を配置し、適宜の箇所に鍵で開けることができる扉を設け、作業員の指紋が本人であると認証されたら扉が開錠され、開錠と施錠の履歴が通信インターフェースを介して外部へ通知されることが開示されている。
【０００５】
また特許文献２では、自動販売機における各操作を行う人物とその操作内容を特定して管理する方法として、主制御部である管理ユニットと硬貨処理装置及び紙幣処理装置をセキュリティーボックス内に配置し、このセキュリティーボックスの開閉にＩＤを有する鍵を使用する方法が開示されている。
【０００６】
ところで、硬貨処理装置及び紙幣処理装置が配設され且つ電子決済装置が配設された自動販売機では、電子マネーが格納されたＩＣカード等をこの電子決済装置で認識し、且つ通信手段を介して決済情報を管理センターへ送信するので、電子決済装置が硬貨処理装置及び紙幣処理装置の稼働履歴情報を取得し、管理センターとの通信手段を使用して取得した稼働履歴情報を管理センターへ送信するようにすることは可能である。
【０００７】
また先行技術においても、例えば特許文献３に開示されたように、売上データを通信インターフェースによって自動的に外部の管理センターに通知する方法が開示されているので、電子決済装置が配設されていなくても、管理センターとの通信手段を使用して硬貨処理装置及び紙幣処理装置の稼働履歴情報を管理センターへ送信することが可能であることは自ずと明らかである。
【０００８】
このように、硬貨処理装置及び紙幣処理装置が配設され且つ電子決済装置が配設された自動販売機では、作業員が設置場所に出向かずに売上管理情報や硬貨処理装置及び紙幣処理装置の稼働履歴情報を取得する方法を講じることが可能である。しかし、管理運営上の事情によって、作業員が設置場所に出向いて売上情報や稼働履歴情報を取得する必要が生じた場合には、必ずしなければならない商品の補充や機器の整備などの作業と併せて売上管理情報や硬貨処理装置及び紙幣処理装置の稼働履歴情報を効率よく取得しようとすることは、当然の考え方である。
【０００９】
【特許文献１】特開２００３−２３２１５４号公報
【特許文献２】特開２０００−９０３３８号公報
【特許文献３】特許第３０７５７３９号公報
【発明の開示】
【発明が解決しようとする課題】
【００１０】
上述したように、硬貨処理装置及び紙幣処理装置が配設され且つ電子決済装置が配設された自動販売機では、管理センターとの通信手段を使用して硬貨処理装置及び紙幣処理装置の稼働履歴情報を管理センターへ送信するように変更することは可能であるが、その変更を実施するためには多大な費用負担となる。
【００１１】
また、管理運営上の事情によって、作業員が自動販売機の設置場所に出向く必要が生じた場合には、硬貨処理装置や紙幣処理装置の整備時期を把握する為の稼働履歴情報の取得作業と、硬貨処理装置や紙幣処理装置に収納されている金銭の回収作業とを分けて行い、稼働履歴情報の取得作業を行う作業者は自動販売機の扉を開閉すること無く作業を行えることが望ましいが、従来技術においてはそれが出来ず、以後金銭の紛失等のトラブルが生じた時に、管理体制を問われるという問題がある。
【００１２】
更に、稼働履歴情報の取得作業と金銭の回収作業とを分けて行えない場合には、稼働履歴情報の取得作業者が自動販売機の扉を開閉した履歴を記録しておくことが望ましいが、これについても従来技術においてはそれが出来ず、以後金銭の紛失等のトラブルが生じた時に、管理体制を問われるという問題がある。
【００１３】
本願発明は、従来技術に比べて費用負担が少なく、金銭トラブルに遭っても管理体制を問われることの無い管理システムを構築することができる電子決済装置を提供することを目的とする。
【課題を解決するための手段】
【００１４】
上述した目的を達成するため、請求項１の発明は、自動販売機に配設され、非接触で通信可能な媒体に格納された電子マネーに関する情報に基づいて決済処理を行う電子決済装置において、通信可能な媒体を検出する媒体検出手段と、前記媒体検出手段が検出した媒体の種別を判定する種別判定手段と、前記種別判定手段により前記媒体検出手段が検出した媒体が、前記自動販売機に配設された装置の稼働履歴情報を取得することを許可された許可情報が格納された媒体であると判定された場合に、前記媒体から前記許可情報を取得する情報取得手段と、前記情報取得手段が取得した許可情報に基づいて前記稼働履歴情報を取得する対象となる装置を特定する対象装置特定手段と、前記情報取得手段が取得した許可情報に基づいて通信手段を介して前記対象装置特定手段が特定した装置から前記稼働履歴情報を受け付ける稼働履歴情報受付手段と、前記稼働履歴情報受付手段が受け付けた稼働履歴情報を前記媒体に書き込む稼働履歴情報書き込み手段とを具備することを特徴とする電子決済装置である。
【００１５】
また、請求項２の発明は、前記請求項１記載の電子決済装置において、前記情報取得手段が取得した前記許可情報には自動販売機の扉を開閉することを許可することも含み、前記情報取得手段が取得した許可情報に基づいて前記自動販売機の扉を開けることを許可するように前記自動販売機の制御部を制御する扉開閉許可制御手段を更に具備することを特徴とする電子決済装置である。
【００１６】
また、請求項３の発明は、前記請求項１乃至２記載の電子決済装置において、前記扉開閉許可制御手段は、前記自動販売機の扉開閉履歴情報を記録する扉開閉履歴情報記録手段を含むことを特徴とする電子決済装置である。
【発明の効果】
【００１７】
本発明によれば、自動販売機を構成する装置の稼働履歴情報の取得を行う際に、自動販売機の開扉を必要とせず、作業効率を向上させ信頼のおける管理システムを構築することが可能となる。また、開扉を必要とする場合には、扉開閉の履歴情報を記録することで、信頼のおける管理システムを構築することが可能である。
【発明を実施するための最良の形態】
【００１８】
以下、本発明に係る電子決済装置の一実施の形態について、添付図面を参照して詳細に説明する。尚、本実施例の電子決済装置は、稼働履歴情報に係る手段と自動販売機の扉開閉の制御に係る手段とを併せ持つ電子決済装置である。
【実施例】
【００１９】
図１は、本発明を適用した電子決済装置を含む自動販売機の構成を示すブロック図である。
【００２０】
同図に示すように、自動販売機１０は、電子決済装置２０と、紙幣処理装置３０、硬貨処理装置４０、主制御部５０、電子錠６０を有している。なお、図１では省略しているが、自動販売機１０は、商品を販売（保管、排出等）するための他の装置も有している。
【００２１】
電子決済装置２０は、電子マネーを利用した決済処理を行う。紙幣処理装置３０は、紙幣の正偽判定や受け入れ等の処理を行い、硬貨処理装置４０は、硬貨の正偽判定や受け入れ、払い出し等の処理を行う。主制御部５０は、電子決済装置２０、紙幣処理装置３０、硬貨処理装置４０、電子錠６０、そして商品を販売するための他の装置を制御する。
【００２２】
主制御部５０と電子錠６０と電子決済装置２０は、通信線１４と通信線１５で接続され、自動販売機１０の扉の開閉を制御する。電子決済装置２０と紙幣処理装置３０、硬貨処理装置４０は、通信線１１により接続され、各装置間で必要に応じて通信処理を行う。また、電子決済装置２０と紙幣処理装置３０、電子決済装置２０と硬貨処理装置４０は、それぞれ、通信線１２、通信線１３により接続されており、通信線１２、通信線１３を利用して、電子決済装置２０が、紙幣処理装置３０、硬貨処理装置４０の稼働履歴情報取得処理を行う。
【００２３】
また、電子決済装置２０は、制御部２１と情報処理部２２、入出力部２３、報知部２４、を有している。
【００２４】
制御部２１は、電子決済装置２０の各部を制御するほか、決済処理を行うもので、プロセッサ等の演算部、メモリ等の記憶部により構成され、演算部が記憶部に記憶されているプログラムを実行することで動作する。
【００２５】
入出力部２３は、ＩＣカード７０が接近した（かざされた）ことを検出し、ＩＣカード７０との間で無線通信を行うもので、アンテナを有している。
【００２６】
情報処理部２２は、入出力部２３が受信したアナログ信号をデジタルデータに変換して制御部２１へ入力し、制御部２１が出力するデジタルデータをアナログ信号に変換して入出力部２３から送信させる。
【００２７】
報知部２４は、光や音によりＩＣカード７０を接近させた者に対する報知処理を行う。
【００２８】
ここで、制御部２１の機能的な構成について説明する。図２は、制御部２１の機能的な構成例を示すブロック図である。
【００２９】
同図に示すように、制御部２１は、種別判定部１００と、決済処理部１０１、報知制御部１０２、許可情報取得部１０３、記憶部１０４、対象装置特定部１０６、稼働履歴情報受付部１０７、扉開閉許可制御部１０８の各機能部を有している。
【００３０】
種別判定部１００は、入出力部２３が検出したＩＣカード７０の種別を判定する。種別の判定は、ＩＣカード７０が記憶している認識コードにより行う。
【００３１】
認識コードは、稼働履歴情報取得の対象となる装置を特定しその装置から稼働履歴情報取得の許可を示す許可情報等を記憶した専用ＩＣカードを示すものと、それ以外のＩＣカードであって決済等で利用が可能なＩＣカードあることを示すもの等に分かれる。
【００３２】
決済処理部１０１は、種別判定部１００により入出力部２３が検出したＩＣカード７０が許可情報等を記憶した専用ＩＣカードでないと判定された場合に、決済処理を行う。この決済処理部１０１の動作は、既存のものと同様である。
【００３３】
報知制御部１０２は、報知部２４を制御して光や音を利用した報知を行わせる。
【００３４】
許可情報取得部１０３は、種別判定部１００により入出力部２３が検出したＩＣカード７０が許可情報等を記憶した専用ＩＣカードであると判定された場合に、その専用ＩＣカードから許可情報等の情報を取得する。
【００３５】
記憶部１０４は、許可情報取得部１０３が取得した許可情報や稼働履歴情報受付部１０７が取得した稼動履歴情報等の様々な情報を記憶する。
【００３６】
対象装置特定部１０６は、許可情報取得部１０３が取得して記憶部１０４に記憶した許可情報に基づいて、対象となる装置を特定する。対象となる装置は、紙幣処理３０や硬貨処理装置４０である。
【００３７】
稼働履歴情報受付部１０７は、対象装置特定部１０６が特定した装置から稼働履歴情報を受け付け、受け付けた稼働履歴情報は記憶部１０４で記憶される。
【００３８】
扉開閉許可制御部１０８は、許可情報取得部１０３が取得し記憶部１０４が記憶した許可情報の内、自動販売機１０の扉の開閉を許可する情報によって、自動販売機１０の主制御部５０を介して電子錠６０を制御する。
【００３９】
次に、電子決済装置２０の動作について説明する。図３乃至５は、電子決済装置２０の動作の流れを示すフローチャートである。
【００４０】
電子決済装置２０は、待機状態において（ステップ２０１でＮＯ）、入出力部２３がＩＣカード７０を検出すると（ステップ２０１でＹＥＳ）、制御部２１が、入出力部２３と情報処理部２２を介してＩＣカード７０の認識コードを読み取り（ステップ２０２）、種別判定部１００がＩＣカード７０の種別を判定する（ステップ２０３）。
【００４１】
判定の結果、ＩＣカード７０が専用ＩＣカードではなく（ステップ２０４でＮＯ）、決済等で利用が可能なＩＣカードでもなかった場合には（ステップ２０５でＮＯ）、報知制御部１０２が報知部２４を制御してエラーを報知し（ステップ２０６）、一定時間後にエラー状態を解除して（ステップ２０７）、電子決済装置２０は、待機状態に戻る。
【００４２】
一方、種別判定部１００による判定の結果、ＩＣカード７０が専用ＩＣカードではなく（ステップ２０４でＮＯ）、決済等で利用が可能なＩＣカードであった場合には（ステップ２０５でＹＥＳ）、決済処理部１０１が決済処理等を行い（ステップ２０８）、その後に待機状態に戻る。なお、決済処理部１０１による処理は、従来と同様であるため、その詳細説明は省略するが、電子決済装置２０が待機状態にある場合に決済等で利用が可能なＩＣカードが検出されたときは、残額表示等の処理を行うことが多い。
【００４３】
また、種別判定部１００による判定の結果、ＩＣカード７０が専用ＩＣカードであった場合には（ステップ２０４でＹＥＳ）、許可情報取得部１０３がＩＣカード７０から許可情報、認識コード等の情報を読み込み（ステップ２０９）、読み込みに成功したら（ステップ２１０でＹＥＳ）、取得した情報を記憶部１０４に記憶する（ステップ２１１）。
【００４４】
読み込みに失敗した場合には（ステップ２１０でＮＯ）、許可情報取得部１０３は、許可情報等の再読み込みを行い（ステップ２１２）、読み込みに成功したら（ステップ２１３でＹＥＳ）、取得した許可情報等を記憶部１０４に記憶する（ステップ２１１）。
【００４５】
許可情報等の再読み込みに失敗した場合には（ステップ２１３でＮＯ）、報知制御部１０２が報知部２４を制御してエラーを報知し（ステップ２０６）、一定時間後にエラー状態を解除して（ステップ２０７）、電子決済装置２０は、待機状態に戻る。なお、許可情報取得部１０３が読み込むデータは、認識コードと、許可情報等である。
【００４６】
許可情報取得部１０３が取得した許可情報等を記憶部１０４に記憶すると、扉開閉許可制御部１０８が扉開閉許可情報を読み出し、この扉開閉許可情報に基づいて扉開閉許可制御部１０８が主制御部５０を介して電子錠６０の開錠を許可し（ステップ２１２）、扉開閉許可の履歴を記憶する（ステップ２１３）。
【００４７】
そして対象装置特定部１０６が、記憶部１０４から稼働履歴取得許可情報を読み出し、この稼働履歴取得許可情報に基づいて稼働履歴情報を取得する対象となる装置を特定する（ステップ２１４）。
【００４８】
対象装置特定部１０６が対象となる装置を特定すると、続いて、稼働履歴情報受付部１０７が該当する装置から稼働履歴情報を読み込み（ステップ２１５）、読み込みに成功したら（ステップ２１６でＹＥＳ）、取得した稼働履歴情報を記憶部１０４に記憶する（ステップ２１７）。読み込みに失敗した場合には（ステップ２１６でＮＯ）、稼働履歴情報受付部１０７は、稼働履歴情報の再読み込みを行い（ステップ２１８）、読み込みに成功したら（ステップ２１９でＹＥＳ）、取得した稼働履歴情報を記憶部１０４に記憶する（ステップ２１７）。
【００４９】
稼働履歴情報の再読み込みに失敗した場合には（ステップ２１９でＮＯ）、報知制御部１０２が報知部２４を制御してエラーを報知し（ステップ２０６）、一定時間後にエラー状態を解除して（ステップ２０７）、電子決済装置２０は、待機状態に戻る。
【００５０】
稼働履歴情報受付部１０７が取得した稼働履歴情報を記憶部１０４に記憶すると、稼働履歴情報の受付を終了する（ステップ２２０）。
【００５１】
稼働履歴情報の受付を終了したら、ロケーションデータ取得部１１０が、主制御部５０からロケーションデータを読み込む（ステップ２３７）。
【００５２】
ロケーションデータは、主制御部５０に予め記憶されているもので、自動販売機１０の設置場所を示すデータである。
【００５３】
ロケーションデータの読み込みに成功すると（ステップ２３８でＹＥＳ）、ロケーションデータ取得部１１０は、記憶部１０４にロケーションデータを記憶する（ステップ２３９）。
【００５４】
また、ロケーションデータの読み込みに失敗した場合は（ステップ２３８でＮＯ）、ロケーションデータ取得部１１０は、ロケーションデータを再読み込みし（ステップ２４０）、読み込みに成功すると（ステップ２４１でＹＥＳ）、記憶部１０４にロケーションデータを記憶する（ステップ２３９）。
【００５５】
再読み込みに失敗した場合には（ステップ２４１でＮＯ）、報知制御部１０２が報知部２４を制御してエラーを報知し（ステップ２０６）、一定時間後にエラー状態を解除して（ステップ２０７）、電子決済装置２０は、待機状態に戻る。
【００５６】
そして、ロケーションデータ取得部１１０は、記憶部１０４から稼働履歴情報、ロケーションデータを取得し、これらを情報処理部２２，入出力部２３を介してＩＣカード７０に記録する。
【００５７】
これにより、電子決済装置２０は、稼働履歴情報出力処理を終了して、待機状態に戻る。
【図面の簡単な説明】
【００５８】
【図１】本発明を適用した電子決済装置を含む自動販売機の構成を示すブロック図である。
【図２】制御部２１の機能的な構成例を示すブロック図である。
【図３】電子決済装置２０の動作の流れを示すフローチャートである。
【図４】電子決済装置２０の動作の流れを示すフローチャートである。
【図５】電子決済装置２０の動作の流れを示すフローチャートである。
【符号の説明】
【００５９】
１０    自動販売機
１１    通信線
１２    通信線
１３    通信線
１４    通信線
１５    通信線
２０    電子決済装置
２１    制御部
２２    情報処理部
２３    入出力部
２４    報知部
３０    紙幣処理装置
４０    硬貨処理装置
５０    主制御部
６０    電子錠
７０    ＩＣカード
１００    種別判定部
１０１    決済処理部
１０２    報知制御部
１０３    許可情報取得部
１０４    記憶部
１０６    対象装置特定部
１１０    ロケーションデータ取得部
【図１】
2010033485.tif 000003
【図２】
2010033485.tif 000004
【図３】
2010033485.tif 000005
【図４】
2010033485.tif 000006
【図５】
2010033485.tif 000007
【手続補正書】
【提出日】平成20年10月20日(2008.10.20)
【手続補正１】
【補正対象書類名】明細書
【補正対象項目名】００４６
【補正方法】変更
【補正の内容】
【００４６】
許可情報取得部１０３が取得した許可情報等を記憶部１０４に記憶すると、扉開閉許可制御部１０８が扉開閉許可情報を読み出し、この扉開閉許可情報に基づいて扉開閉許可制御部１０８が主制御部５０を介して電子錠６０の開錠を許可し（ステップ２１４）、扉開閉許可の履歴を記憶する（ステップ２１５）。
【手続補正２】
【補正対象書類名】明細書
【補正対象項目名】００４７
【補正方法】変更
【補正の内容】
【００４７】
そして対象装置特定部１０６が、記憶部１０４から稼働履歴取得許可情報を読み出し、この稼働履歴取得許可情報に基づいて稼働履歴情報を取得する対象となる装置を特定する（ステップ２１６）。
【手続補正３】
【補正対象書類名】明細書
【補正対象項目名】００４８
【補正方法】変更
【補正の内容】
【００４８】
対象装置特定部１０６が対象となる装置を特定すると、続いて、稼働履歴情報受付部１０７が該当する装置から稼働履歴情報を読み込み（ステップ２１７）、読み込みに成功したら（ステップ２１８でＹＥＳ）、取得した稼働履歴情報を記憶部１０４に記憶する（ステップ２１９）。読み込みに失敗した場合には（ステップ２１８でＮＯ）、稼働履歴情報受付部１０７は、稼働履歴情報の再読み込みを行い（ステップ２２０）、読み込みに成功したら（ステップ２２１でＹＥＳ）、取得した稼働履歴情報を記憶部１０４に記憶する（ステップ２１９）。
【手続補正４】
【補正対象書類名】明細書
【補正対象項目名】００４９
【補正方法】変更
【補正の内容】
【００４９】
稼働履歴情報の再読み込みに失敗した場合には（ステップ２２１でＮＯ）、報知制御部１０２が報知部２４を制御してエラーを報知し（ステップ２０６）、一定時間後にエラー状態を解除して（ステップ２０７）、電子決済装置２０は、待機状態に戻る。
【手続補正５】
【補正対象書類名】明細書
【補正対象項目名】００５０
【補正方法】変更
【補正の内容】
【００５０】
稼働履歴情報受付部１０７が取得した稼働履歴情報を記憶部１０４に記憶すると、稼働履歴情報の受付を終了する（ステップ２２２）。
【手続補正６】
【補正対象書類名】図面
【補正対象項目名】図４
【補正方法】変更
【補正の内容】
【図４】
2010033485.tif 000008